(57)【要約】【課題】  容易にドリフト走行を行なわせることができる二輪走行玩具を提供すること。【解決手段】    後輪を支持するリアフレームを、前輪を備えたボディフレームに、略水平方向を軸心として回動自在に配設するとともに、前記ボディフレームと前記リアフレームとの間に、前記後輪を前記前輪に対して傾斜させた状態に維持する位置決め手段を備えたことを特徴とする。【選択図】  図１
2007020849.tif 000002
【特許請求の範囲】
【請求項１】
後輪を支持するリアフレームを、前輪を備えたボディフレームに、略水平方向を軸心として回動自在に配設するとともに、前記ボディフレームと前記リアフレームとの間に、前記後輪を前記前輪に対して傾斜させた状態に維持する位置決め手段を備えたことを特徴とする二輪走行玩具。
【請求項２】
前記後輪にフライホイールが組み込まれると共に該後輪の軸に入力歯車が付設され、この入力歯車を通じて外部から入力される回転力によって前記フライホイールを回転させることで走行するように構成されたことを特徴とする請求項１記載の二輪走行玩具。
【請求項３】
前記位置決め手段として、前記ボディフレームおよび前記リアフレームのそれぞれに配設した円板を互いに圧接させ、その摩擦抵抗によって、前記後輪を任意の位置で、位置決めするようにしたことを特徴とする請求項１又は２記載の二輪走行玩具。
【請求項４】
前記位置決め手段として、前記ボディフレームと前記リアフレームとを、それぞれに配設した円板によって互いに摺接させるとともに、一方の円板の摺接面の偏心位置に突起を形成し、他方の円板の摺接面に前記突起と嵌合可能な複数の凹部を形成して構成し、前記リアフレームの円板を回動させ、前記突起を前記凹部に嵌合させることによって、前記後輪を位置決めするようにしたことを特徴とする請求項１又は２記載の二輪走行玩具。
【発明の詳細な説明】
【技術分野】
【０００１】
本発明は、後輪を回転させることによって、走行させる二輪走行玩具に関するもので、詳しくは、容易にドリフト走行を行わせることができる二輪走行玩具に関するものである。
【背景技術】
【０００２】
後輪にフライホイールを組込み、後輪を回転させることによって、走行させる二輪走行玩具はある（例えば、特許文献１）。
【０００３】
特許文献１に開示されている二輪走行玩具は、後輪の軸にピニオンを配設し、発射具によってピニオンを回転させ、該ピニオンを介して後輪を回転させる。このように、後輪が回転された二輪走行玩具は、車体が鉛直になるようにして前後輪が床に接地され、走行される。
【特許文献１】実用新案登録第３１０２９９４号公報（図１〜図５参照）
【発明の開示】
【発明が解決しようとする課題】
【０００４】
ところで、二輪走行玩具では、単に走行させるだけでなく、車体を傾斜させて走行させることによって、後輪を横に滑らせながら走る、いわゆるドリフト走行を行わせる遊びが流行っている。
しかし、このドリフト走行操作は、車体全体を傾斜させた状態に接地させる必要があり、その傾斜角度の設定が難しく、傾斜角度が大き過ぎると車体が倒れてしまい、傾斜角度が小さ過ぎると、車体が通常走行姿勢に戻ってしまい、ドリフトを行わせることができなくなる。
【０００５】
本発明は、かかる問題点を解決するためになされたもので、容易にドリフト走行を行なわせることができる二輪走行玩具を提供することを目的としている。
【課題を解決するための手段】
【０００６】
請求項１記載の二輪走行玩具は、後輪を支持するリアフレームを、前輪を備えたボディフレームに、略水平方向を軸心として回動自在に配設するとともに、前記ボディフレームと前記リアフレームとの間に、前記後輪を前記前輪に対して傾斜させた状態に維持する位置決め手段を備えたことを特徴とする。この場合の二輪走行玩具は例えば自転車玩具やオートバイ玩具として構成できる。この場合、二輪走行玩具は、搭載の全舞ばね、モータを動力源とする自走式のものであっても良いし、外部から車輪（例えば後輪）に回転力を付与する形式のもので慣性によって走行するものであってもよい。
【０００７】
請求項２記載の二輪走行玩具は、請求項１の発明において、前記後輪にフライホイールが組み込まれると共に該後輪の軸に入力歯車が付設され、この入力歯車を通じて外部から入力される回転力によって前記フライホイールを回転させることで走行するように構成されたことを特徴とする。「入力歯車を通じて外部から回転力を入力する方法」としては、例えばラックベルトを直接に入力歯車に噛合させ、その状態でラックベルトを勢いよく引っ張ることによって回転力を入力する方法や、また、他の歯車を入力歯車に噛合させ、前記他の歯車をラックベルトを引っ張ったり或いはモータ動力によって回転させたりすることで回転力を入力する方法が考えられる。
【０００８】
請求項３記載の二輪走行玩具は、請求項１又は２の発明において、前記位置決め手段として、前記ボディフレームおよび前記リアフレームのそれぞれに配設した円板を互いに圧接させ、その摩擦抵抗によって、前記後輪を任意の位置で、位置決めするようにしたことを特徴とする。
【０００９】
請求項４記載の二輪走行玩具は、請求項１又は２の発明において、前記位置決め手段として、前記ボディフレームと前記リアフレームとを、それぞれに配設した円板によって互いに摺接させるとともに、一方の円板の摺接面の偏心位置に突起を形成し、他方の円板の摺接面に前記突起と嵌合可能な複数の凹部を形成して構成し、前記リアフレームの円板を回動させ、前記突起を前記凹部に嵌合させることによって、前記後輪を位置決めするようにしたことを特徴とする。
【発明の効果】
【００１０】
請求項１又は２の発明によれば、前輪に対して、後輪を傾斜させた状態に維持させることができ、この状態で走行させれば、ドリフト走行が容易に行なえる。
【００１１】
請求項３の発明によれば、前輪に対して、後輪を任意の回動位置に維持させることができ、ドリフト走行の状態を任意に調整することができる。また、請求項４の発明によれば、突起を凹部へ選択的に落とし込むことによって、確実に位置決めを行なうことができる。
【発明を実施するための最良の形態】
【００１２】
以下に、本発明に係る二輪走行玩具を、図面を参照しながら説明する。
図１は本発明に係る二輪走行玩具の車体を示す側面図、図２はライダー人形を乗せた状態の二輪走行玩具を示す側面図、図３は図１におけるＡ部の位置決め手段を示す拡大縦断面図、図４は図１の車体の後面図、図５は図３の車体で、後輪を傾斜させた状態を示す後面図、図６は発射具を示す斜視図である。
【００１３】
図示する二輪走行玩具は自転車１の外観を呈している。この自転車１では、前輪２を備えたボディフレーム３に対して、後輪４を備えたリアフレーム５が略水平方向を軸心ａとして回動自在に配設されている。
【００１４】
ボディフレーム３は、上部に配設され水平方向に延びる上部ステー３ａと、この上部ステーの中間部から下方に延びる縦ステー３ｂを骨格としている。そして、縦ステー３ｂの下端後部には、軸６を介して上下方向に回動するブラケット３ｃが配設され、該ブラケットの上端と上部ステー３ａの後端との間には、スプリング７が介在されている。また、フロントフォーク３ｄの下端部には前輪２が回転自在に保持されている。
さらに、ボディフレーム３には、フロントフォーク３ｄの上端部にハンドル８が配設され、上部ステー３ａの後部にサドル９が配設されている。また、縦ステー３ｂの下端にクランク１０が回転自在に配設され、該クランクを介してペダル１１が回転自在に配設され、クランク１０の軸には、プーリ１２が固着されている。
なお、この自転車１では、サドル９とペダル１１に上方に向けてピン９ａ，１１ａが配設されている。
【００１５】
一方、リアフレーム５は、略水平方向に延びるリアステー５ａと、該リアステーから上方に延び、後輪の上部を覆うカバー５ｂを備えている。また、リアステー５ａの後端に、後輪４の軸４ａが回転自在に保持され、軸４ａには、ピニオン（入力歯車）１３が固着されている。また、後輪４には、フライホイール１４が同軸に組み込まれている。
この自転車１では、軸４ａとボディフレーム３のプーリ１２とに、ゴム，合成樹脂等のベルト１５が巻き掛けられている。
【００１６】
そして、リアフレーム５は、図１におけるＡ部において、略水平方向を軸心ａとしてボディフレーム３に回動自在に結合され、かつその結合部に、リアフレーム５をボディフレーム３に対して、適宜な回動角度に保持させるための位置決め手段１６が配設されている。
【００１７】
位置決め手段１６は、図３に示すように、ボディフレーム３のブラケット３ｃに形成された円板１６ａと、リアフレーム５に形成された円板１６ｂとを互いに対向させ、それらの軸心にピン１７を挿嵌させるとともに、皿バネ等の弾性部材１８を介在させることによって、両円板１６ａ，１６ｂを互いに摺接させ、さらに、円板１６ａの摺接面の周縁（偏心位置）に、軸心ａと同心円上に、複数個の凹部１９ａが形成され、円板１６ｂの摺接面の周縁（偏心位置）に、突起１９ｂが形成されている。
したがって、図３に示すように、正立状態にあるリアフレーム５を、図４に示すように、リアフレーム５を、ピン１７を中心として回動させると、円板１６ｂの突起１９ｂが円板１６ａの凹部１９ａに選択的に挿嵌（嵌合）されることによって、所定の回動角度に位置決めが図られる。
【００１８】
また、この自転車１は、図２に示すように、ライダー人形２０を備えている。このライダー人形２０では、胴部２１の下端部に上脚部２２の基端が回転自在に軸支され、該上脚部２２の下端に下脚部２３が軸支され、さらに、胴部２１の上端部に上腕部２４の上端が軸支され、該上腕部の下端に下腕部２５が軸支されている。
また、このライダー人形２０は、胴部２１の下端面，下脚部２３の下端面および下腕部２５に凹部２１ａ，２３ａ，２５ａがそれぞれ形成されている。そして、ライダー人形２０は、それらの凹部２１ａ，２３ａ，２５ａを、自転車１のサドル９のピン９ａ，ペダル１１のピン１１ａおよびハンドル８の先端にそれぞれ嵌合させることによって、自転車１に搭載される。
【００１９】
上記自転車１は、後述する発射具によって、ピニオン１３が回転され、それによって、後輪４が回転される。この後輪４の回転は、フライホイール１４によって、慣性力が高められる。そして、後輪４が回転されると、ベルト１５，プーリ１２を介してクランク１０が回転される。
すると、クランク１０の回転に伴って、ペダル１１に係合されている下脚部２３および上脚部２２がリンク運動によって揺動される。
なお、自転車１の前輪２または後輪４が床Ｂの凹凸を走行すると、リアフレーム５が軸６を中心にして上下方向に揺動され、スプリング７によって振動が吸収される。
【００２０】
このように構成された自転車１は、例えば図６に示すような発射具３０によって、後輪４が鉛直姿勢をとるように保持され、その状態で回転され、次いで、後輪４が接地される。
【００２１】
発射具３０は、自転車１を保持する台部３１と、該台部に保持された状態の自転車１のピニオン１３を回転させるためのラックベルト３２とによって構成されている。
台部３１は、底面３１ａから両側壁３３ａ，３３ａおよび後壁３３ｂをコ字状に立設させて画成した後輪収容部３３と、側壁３３ａ，３３ａの前方に開口し、自転車１の後輪軸４ａを底面３１ａから少し浮かした状態に収容保持させる溝部と、図示しないが大径歯車および小径歯車と、ラックベルト挿通孔３５とを備えている。
【００２２】
この発射具３０では、ベルト挿通孔３５の後方からラックベルト３２の先端を挿入し、図示していない歯車を回転させながらラックベルト３２を基部まで押し込んだ後、この発射具３０を床に置く。次いで、後輪収容部３３に自転車１の後輪４を収容するようにして後輪軸４ａを溝部に挿入させて自転車１を立たせる。この状態においては、ラックベルト３２のラック３２ａが台部３１の小径歯車に噛合し、該台部の大径歯車が自転車１のピニオン１３に噛合する。
そして、ラックベルト３２を後方に引き抜くと、台部３１の小径歯車，大径歯車を介して、自転車１のピニオン１３が回転され、該ピニオンを介して後輪４が回転される。
【００２３】
そして、適宜な手段によって、後輪４を底面３１ａに接地させると、自転車１は、台部３１の底面３１ａから前方に発射される。
その際、後輪４を前輪２に対して傾斜させていた場合には、発射された自転車１は、確実にドリフト走行される。この場合、後輪４の傾斜方向に応じてドリフトの向きも変化する。また、後輪４を左右いずれにも傾斜させない場合には、直線走行を行う。
【００２４】
なお、上記実施の形態では、位置決め手段１６として、円板１６ａに複数の凹部１９ａを形成するとともに、円板１６ｂに突起１９ｂを形成し、該突起１９ｂを選択的に凹部１９ａの１つに係合させることによって位置決めを図っているが、円板１６ａ，１６ｂ間の摩擦抵抗が、後輪４を傾斜した状態に維持することができる程度に大きければ、凹部１９ａおよび突起１９ｂを必要としない。この場合には、後輪４を任意の回動角度（傾斜角度）に位置決めすることができる。
【図面の簡単な説明】
【００２５】
【図１】本発明に係る二輪走行玩具の車体を示す側面図である。
【図２】ライダー人形を乗せた状態の二輪走行玩具を示す側面図である。
【図３】図１におけるＡ部の位置決め手段を示す拡大縦断面図である。
【図４】図１の車体の後面図である。
【図５】図３の車体で、後輪を傾斜させた状態を示す後面図である。
【図６】二輪走行玩具とその発射具を示す斜視図である。
【符号の説明】
【００２６】
１  二輪走行玩具（自転車）
２  前輪
３  ボディフレーム
３ａ  上部ステー
３ｂ  縦ステー
３ｃ  ブラケット
３ｄ  フロントフォーク
４  後輪
４ａ  軸
５  リアフレーム
５ａ  リアステー
５ｂ  カバー
６  軸
７  スプリング
８  ハンドル
９  サドル
９ａ  ピン
１０  クランク
１０ａ  軸
１１  ペダル
１１ａ  ペダル
１２  プーリ
１３  ピニオン
１４  フライホイール
１５  ベルト
１６  位置決め手段
１６ａ，１６ｂ  円板
１７  ピン
１８  弾性部材（スプリング）
１９ａ  凹部
１９ｂ  突起
２０  ライダー人形
２１  胴部
２１ａ  凹部
２２  上脚部
２３  下脚部
２３ａ  凹部
２４  上腕部
２５  下腕部
２５ａ  凹部
３０  発射具
３１  台部
３１ａ  底面
３２  ラックベルト
３３  後輪収容部
３３ａ  側壁
３３ｂ  後壁
３４  溝部
３５  ラックベルト挿通孔
【図１】
2007020849.tif 000003
【図２】
2007020849.tif 000004
【図３】
2007020849.tif 000005
【図４】
2007020849.tif 000006
【図５】
2007020849.tif 000007
【図６】
2007020849.tif 000008